【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
リチウムを含む負電極と、
フォイル担体上に電気化学的活物質をコーティングした正電極と、
を備えた公称電圧が１．５Ｖの電気化学セルであって、
前記フォイル担体が、
（ｉ）第１及び第２の表面と、（ｉｉ）前記フォイル担体の全長に沿って延びた、前記第１及び第２の表面に電気化学的活物質がコーティングされていない非コーティング長手方向セクションと、（ｉｉｉ）前記フォイル担体の第１の表面上で前記フォイル担体の幅全体にわたって延びた、電気化学的活物質がコーティングされていない少なくとも１つの非コーティング部分と、
を有し、
前記電気化学セルが更に、
前記正電極と前記負電極との間に配置されたセパレータと、
円筒形ハウジングと、
を備え、
前記セパレータ、正電極及び負電極が、螺旋状に巻かれて円形ゼリーロール構成にされ、
絶縁材料が最外周ロールの周りに配置されており、
前記ゼリーロール構成及び非水性電解質が前記ハウジング内に配置され、
そして、前記電気化学的活物質が、あらゆる結合剤、あらゆる導電性材料及び前記フォイル担体に起因する重量を除外して、本質的に少なくとも重量で９５％の二硫化鉄からなる、ことを特徴とする電気化学セル。
【請求項２】
前記非コーティング部分の表面積が、Ｄ×Ｈ×πであり、Ｄが前記ゼリーロール構成の直径を表し、Ｈが前記ゼリーロール構成の軸方向高さを表す、
ことを特徴とする請求項１に記載の電気化学セル。
【請求項３】
前記リチウムに対して化学量論的に過剰な電気化学的活物質が存在する、
ことを特徴とする請求項１に記載の電気化学セル。
【請求項４】
前記非コーティング部分の実質的に全てが、前記ゼリーロール構成の最外周上で配向される、
ことを特徴とする請求項１に記載の電気化学セル。
【請求項５】
前記負電極の一部がまた、前記ゼリーロール構成の最外周上で配向される、
ことを特徴とする請求項４に記載の電気化学セル。
【請求項６】
前記ゼリーロール構成の最外周上で前記負電極に固定され、前記負電極と前記円筒形ハウジングとの間に電気的接触を維持する導電性タブを更に含む、
ことを特徴とする請求項５に記載の電気化学セル。
【請求項７】
前記ゼリーロール構成の最外周が、全体的に前記正電極からなる、
ことを特徴とする請求項４に記載の電気化学セル。
【請求項８】
前記正電極が、前記フォイル担体の第２の表面上で前記フォイル担体の幅全体にわたって延びた、電気化学的活物質がコーティングされていない第２の非コーティング部分を更に含み、
前記第２の非コーティング部分が、前記ゼリーロール構成の最内側コア上に配置される、
ことを特徴とする請求項１に記載の電気化学セル。
【請求項９】
円筒形容器と、
１．０ｇを超えないリチウムを含む負電極と、
導電性フォイルにコーティングされた二硫化鉄を含む正電極と、
を備えた電気化学セルであって、
前記導電性フォイルが、
（ｉ）前記導電性フォイルにおける２つの界面表面の何れにも二硫化鉄がコーティングされていない非コーティング縁部と、（ｉｉ）前記導電性フォイルの前記界面表面の少なくとも１つに前記二硫化鉄がコーティングされていない少なくとも１つの非コーティング長手方向セクションと、
を有し、
前記電気化学セルが更に、
前記正電極と前記負電極との間に配置されたセパレータを備え、
前記セパレータ、正電極及び負電極が、螺旋状に巻かれてゼリーロール構成にされ、
前記ゼリーロール構成及び非水性有機電解質が前記容器内に配置され、
前記非コーティング長手方向セクションの少なくとも１つが、前記導電性フォイルの幅全体にわたって前記非コーティング縁部からその対向する縁部まで延びており、
前記電気化学セルが、１．０Ｖカットオフまで行った２０００ｍＡ連続ドレイン試験に対して少なくとも２４００ｍＡｈの放電容量を有する、
ことを特徴とする電気化学セル。
【請求項１０】
前記正電極が、第１及び第２の非コーティング長手方向セクションを有し、前記第２の非コーティングセクションが、前記第１のコーティング長手方向セクションに対して対向する界面表面上に配置される、
ことを特徴とする請求項９に記載の電気化学セル。
【請求項１１】
前記第１の非コーティングセクションが、前記導電性フォイルの前記対向する界面表面上に配置された前記第２の非コーティングセクションと少なくとも部分的に重なるように位置決めされる、
ことを特徴とする請求項１０に記載の電気化学セル。
【請求項１２】
前記第１の非コーティングセクションが、前記導電性フォイルの前記対向する界面表面上に配置された前記第２の非コーティングセクションと重ならないように位置決めされる、
ことを特徴とする請求項１０に記載の電気化学セル。
【請求項１３】
前記正電極が、コーティングセクションを間に備えた第１及び第２の非コーティング長手方向セクションを有し、前記第１及び第２の非コーティングセクションが、共通の界面表面上に配置される、
ことを特徴とする請求項９に記載の電気化学セル。
【請求項１４】
前記正電極が第３の非コーティングセクションを有し、前記第３の非コーティングセクションが、前記第１及び第２の非コーティング長手方向セクションに対して対向する界面表面上に配置される、
ことを特徴とする請求項１３に記載の電気化学セル。
【請求項１５】
前記正電極が第３の非コーティングセクションを有し、前記第３の非コーティングセクションが、前記第１の非コーティングセクションとの共通界面表面上に配置され、これらの間にコーティングセクションが配置される、
ことを特徴とする請求項１０に記載の電気化学セル。
【請求項１６】
前記正電極が、第４の非コーティングセクションを有し、前記第４の非コーティングセクションが、前記第２の非コーティングセクションに対して共通の界面表面上に配置され、これらの間に第２のコーティングセクションが配置される、
ことを特徴とする請求項１５に記載の電気化学セル。
【請求項１７】
ゼリーロール電極組立体を有する電気化学セルを製作するための方法であって、
リチウム及びリチウム合金からなる群から選択された少なくとも１つから本質的になる負電極ストリップを準備する段階と、
第１及び第２の界面側部を有する基層を準備する段階と、
前記第１又は第２の界面側部の何れにも正電極混合物を有さない幅方向非コーティング縁部を形成するように、前記基層上で黄鉄鉱及び結合剤材料を含む正電極混合物を選択的にコーティングする段階と、
セパレータの２つのストリップを準備する段階と、
前記幅方向非コーティング縁部が巻き付けマンドレル内に保持されるように前記基層を配向する段階と、
前記２つのセパレータストリップの間に前記負電極ストリップを位置決めし、前記負電極及び前記２つのセパレータストリップを前記基層に近接するが前記幅方向非コーティング縁部からオフセットされるように配向して巻き付けコアを形成する段階と、
前記基層、前記負電極ストリップ及び前記２つのセパレータストリップを巻いて、前記巻き付けコアが圧壊しないゼリーロール電極組立体にする段階と、
前記ゼリーロール組立体を容器内に配置し、前記容器に非水性有機電解質を供給して前記容器をシールする段階と、
を含み、
前記巻き付けコアは、幅方向非コーティング縁部だけが１回を超えずに回転されている、ことを特徴とする方法。